(57)【特許請求の範囲】
【請求項１】
訪問先を呼び出す呼出操作部及び通話のためのマイク／スピーカを備えたインターホン子機と、呼び出しに応答するためのマイク／スピーカを備えた複数のインターホン親機とを有するインターホン装置であって、
前記インターホン子機が、映像を表示可能なディスプレイ上に設けたタッチパネルから成る複数の呼出ボタンを有して前記複数のインターホン親機の何れかを選択して呼び出し可能な呼出子機と、前記通話のためのマイク／スピーカに加えて前記複数のインターホン親機のうち特定の一部のインターホン親機を呼び出し可能な通話子機とを隣接して配置して成り、
前記呼出子機は、訪問者のＩＤ情報を取得するＩＤ情報取得部と、ＩＤ情報と前記複数のインターホン親機の少なくとも１台を関連付けて記憶する呼出先記憶部と、
前記呼出操作部の操作を受けて、呼出先の前記インターホン親機に呼出信号を送信する呼出制御部とを有し、
前記呼出制御部は、取得した前記ＩＤ情報と前記呼出先記憶部の情報を基に、訪問者のＩＤ情報に関連付けられている前記呼出ボタンのみ呼出操作可とすることを特徴とするインターホン装置。
【請求項２】
前記呼出子機は、前記タッチパネル上に設けられた複数の呼出ボタンのうち、訪問者の前記ＩＤ情報の取得を受けて、呼出不可となった前記呼出ボタンを前記タッチパネル上で非表示とする表示制御部を有することを特徴とする請求項１記載のインターホン装置。
【請求項３】
前記インターホン親機は、応答する人物を撮像するための親機カメラと、前記親機カメラの撮像映像を前記インターホン子機に送信する映像制御部とを有し、
前記インターホン子機の表示制御部は、前記ディスプレイに前記親機カメラの撮像映像を表示することを特徴とする請求項２記載のインターホン装置。
【請求項４】
前記インターホン親機は、訪問者に対して呼出状況を通知するための文字情報から成るガイダンス画像を記憶する画像記憶部と、前記呼出信号を受けて前記インターホン子機にガイダンス画像を送信するガイダンス制御部とを有し、
前記インターホン子機の表示制御部は、受信した前記ガイダンス画像を前記ディスプレイに表示することを特徴とする請求項２又は３の何れかに記載のインターホン装置。
【発明の詳細な説明】
【技術分野】
【０００１】
本発明は、居住者等を呼び出して通話するインターホン装置に関し、特に呼出先が複数設定されており、何れかを選択して呼び出しできるインターホン装置に関する。
【背景技術】
【０００２】
複数の呼出先を備えて訪問者が何れかを選択して呼び出しできる従来のインターホン装置として、非特許文献１に示すようなインターホン装置がある。これは、インターホン子機に呼出先の異なる複数の呼出ボタンが設けられ、訪問者は訪問先に関連付けられた呼出ボタンを押下することで選択したインターホン親機に呼び出しが掛かり、通話を行うことができる。
【先行技術文献】
【非特許文献】
【０００３】
【非特許文献１】アイホン株式会社発行 「２０１０−２０１２総合カタログ」ｐ．４７６−４７７
【発明の概要】
【発明が解決しようとする課題】
【０００４】
上記非特許文献１のインターホン装置は、１台のインターホン子機で複数の呼出先を選択して呼び出しできるため、複数の会社が入居しているようなテナントビルや、部署別に呼び出しできるオフィスビルに好ましい構成となっている。
しかしながら、どのような訪問者であっても全ての呼出先に対して呼出操作が可能であるため、例えば社長室といった一般の訪問者には呼び出しをして欲しくない呼出先を設定することができず、このような場合は別途受け付けを設ける等して呼び出しを可能としていた。
【０００５】
そこで、本発明はこのような問題点に鑑み、訪問者に応じて呼出先を限定或いは拡張する機能を設けて、受け付け等を介することなく訪問者が直接訪問先を呼び出しできるインターホン装置を提供することを目的としている。
【課題を解決するための手段】
【０００６】
上記課題を解決する為に、請求項１の発明は、訪問先を呼び出す呼出操作部及び通話のためのマイク／スピーカを備えたインターホン子機と、呼び出しに応答するためのマイク／スピーカを備えた複数のインターホン親機とを有するインターホン装置であって、インターホン子機が、映像を表示可能なディスプレイ上に設けたタッチパネルから成る複数の呼出ボタンを有して複数のインターホン親機の何れかを選択して呼び出し可能な呼出子機と、通話のためのマイク／スピーカに加えて複数のインターホン親機のうち特定の一部のインターホン親機を呼呼び出し能な通話子機とを隣接して配置して成り、呼出子機は、訪問者のＩＤ情報を取得するＩＤ情報取得部と、ＩＤ情報と複数のインターホン親機の少なくとも１台を関連付けて記憶する呼出先記憶部と、呼出操作部の操作を受けて、呼出先のインターホン親機に呼出信号を送信する呼出制御部とを有し、呼出制御部は、取得したＩＤ情報と呼出先記憶部の情報を基に、訪問者のＩＤ情報に関連付けられている呼出ボタンのみ呼出操作可とすることを特徴とする。
この構成によれば、インターホン子機から呼び出しできるインターホン親機を複数備えていても、インターホン子機の個人認証結果によって訪問者が呼び出しできるインターホン親機の絞り込みを実施できる。そのため、例えば一般の訪問者と認識した場合は特定のインターホン親機を呼び出しできないよう設定できるし、特別な訪問者と認識した場合は例えば社長室を直接呼び出しできるよう設定できる。よって、別途受け付けが必要なくなり、来訪者と応答者の双方にとって便利であり、都合が良い。
更に、ディスプレイとマイク／スピーカとが別体に構成されるため、マイク／スピーカは呼出ボタンを備えた従来のインターホン子機が使用可能となるし、ディスプレイは通話機能を必要としないため、汎用のディスプレイを使用することが可能となりインターホン子機を安価に構成できる。
また、呼出先フロアのレイアウトの変更等で、インターホン親機の数や呼出先名称が変更になっても、ディスプレイの表示を変更することで容易に対応でき、インターホン子機自体を変更する必要がないため、インターホン親機の数の変更等に対して柔軟に対応できる。
【０００７】
請求項２の発明は、請求項１に記載の構成において、呼出子機は、タッチパネル上に設けられた複数の呼出ボタンのうち、訪問者のＩＤ情報の取得を受けて、呼出不可となった呼出ボタンをタッチパネル上で非表示とする表示制御部を有することを特徴とする。
この構成によれば、呼出不可とする呼出先はタッチパネル上で表示されないため、訪問者に対して呼出不可となった呼出先の存在を知られることがない。
【０００９】
請求項３の発明は、請求項２に記載の構成において、インターホン親機は、応答する人物を撮像するための親機カメラと、親機カメラの撮像映像をインターホン子機に送信する映像制御部とを有し、インターホン子機の表示制御部は、ディスプレイに親機カメラの撮像映像を表示することを特徴とする。
この構成によれば、呼出先のインターホン親機から応答する人物の映像がインターホン子機に表示されるため、訪問者は通話し易いし安心できる。また、呼出操作部を利用して映像を表示するので、別途表示手段を設ける必要がない。
【００１０】
請求項４の発明は、請求項２又は３の何れかに記載の構成において、インターホン親機は、訪問者に対して呼出状況を通知するための文字情報から成るガイダンス画像を記憶する画像記憶部と、呼出信号を受けてインターホン子機にガイダンス画像を送信するガイダンス制御部とを有し、インターホン子機の表示制御部は、受信したガイダンス画像をディスプレイに表示することを特徴とする。
この構成によれば、呼出操作後にガイダンス画像がインターホン子機に表示されるので、訪問者は呼出状況を画像で認識でき、呼出状況を把握でき安心できる。
【発明の効果】
【００１１】
本発明によれば、インターホン子機から呼び出しできるインターホン親機を複数備えていても、インターホン子機の個人認証結果によって訪問者が呼び出しできるインターホン親機が絞り込まれるため、例えば一般の訪問者と認識した場合は特定のインターホン親機を呼び出しできないよう設定できるし、特別な訪問者と認識した場合には例えば社長室を直接呼び出しできるよう設定でき、来訪者と受付担当者の双方にとって便利である。
【図面の簡単な説明】
【００１２】
【図１】本発明に係るインターホン装置の一例を示す構成図である。
【図２】図１のブロック図である。
【図３】呼出動作の流れを示すフローチャートである。
【発明を実施するための形態】
【００１３】
以下、本発明を具体化した実施の形態を、図面を参照して詳細に説明する。図１は本発明に係るインターホン装置の一例を示す構成図であり、１ａは訪問先を呼び出すための呼出子機、１ｂは呼び出しに応答した相手と通話するための通話子機、３は呼び出しに応答するために複数設置されたインターホン親機（以下、単に「親機」と称する）、４は呼出子機１ａ、通話子機１ｂ、親機３の各信号線を集線するＨＵＢである。
呼出子機１ａと通話子機１ｂとでインターホン子機（以下、単に「子機」と称する）１が構成され、両者は隣接して設置されている。また、呼出子機１ａ、通話子機１ｂ、親機３はそれぞれ固有のＩＰアドレスを有し、ＩＰプロトコルによりデータ信号、デジタル音声信号、デジタル映像信号の送受を行うよう構成されている。
【００１４】
図２は子機１及び親機３をそれぞれブロック図で示している。呼出子機１ａは、親機３を選択して呼出操作したり、訪問者がＩＤを入力するためのタッチパネルから成る操作部１１、呼出先の一覧画面や、映像や画像を表示する子機ディスプレイ１２、ＩＤと呼出先の関連づけを記憶する呼出先記憶部１３、来訪者が携行するＩＣカード等からＩＤ情報を読み取って訪問者を認証するＲＦＩＤ読み取り部１４、入力されたＩＤ情報から呼出先の絞り込みをはじめ呼出子機１ａの各部を制御する呼出子機ＣＰＵ１５等を備えている。
尚、訪問者の認証は、訪問者により操作部１１から入力されるＩＤ情報か、ＲＦＩＤ読み取り部１４による読み取りのいずれかで実施される。また、操作部１１を構成するタッチパネルは子機ディスプレイ１２上に一体に設けられ、子機ディスプレイ１２には、複数の呼出ボタンやＩＤ入力のためのテンキー（何れも図示せず）等が表示される。
【００１５】
通話子機１ｂは、訪問者を撮像するための子機カメラ１７、呼出先と通話するためのマイク１８及びスピーカ１９、特定の親機３を呼び出す呼出ボタン２０、訪問者の接近を感知する人感センサ２１、通話子機１ｂの各回路を制御する通話子機ＣＰＵ２２等を備えている。
【００１６】
親機３は、呼び出しに対する応答操作等を行うための操作部３１、通話するためのマイク３２及びスピーカ３３、子機カメラ１７の撮像映像の表示や各種設定画面を表示するための親機ディスプレイ３４、応答者を撮像するための親機カメラ３５、子機１からの呼び出しを受けたら呼び出し状況を子機ディスプレイ１２に表示するためのガイダンス画像を記憶する画像記憶部３６、親機３を制御する親機ＣＰＵ３７等を備えている。
【００１７】
以下、子機１に訪問者が近づいて呼出操作を行った場合の動作を説明する。図３は、呼出操作を受けたインターホン装置の動作の流れを示すフローチャートであり、機器別に動作を分けて示している。このフローに基づいて説明する。
訪問者が子機１に接近すると通話子機１ｂの人感センサ２１がそれを感知（Ｓ１）して、通話子機ＣＰＵ２２が起動信号を呼出子機１ａに対して送信する（Ｓ２）。この起動信号を受信した呼出子機１ａは、呼出子機ＣＰＵ１５が子機ディスプレイ１２に「ＩＤを入力してください」等の案内画面を表示する。
【００１８】
この案内画面の表示を受けて、訪問者が図示しないＩＣカードを呼出子機１ａの所定部位に翳すか、子機ディスプレイ１２上に表示されているテンキー等を操作してＩＤを入力することで訪問者の個人認証が行われる（Ｓ３）。
尚、このとき翳されるＩＣカードは、登録済みのＩＣカードを予め訪問者に渡しておいても良いし、訪問者が他の目的で携行しているＩＣカードのＩＤを読み取って登録しておいても良い。また、テンキー等で入力する場合は、例えば４桁の暗証番号が事前に通知される。
【００１９】
訪問者のＩＤ情報は予め呼出先情報と関連づけられて呼出先記憶部１３に登録されており、入力されたＩＤ或いはＩＣカード等から読み取ったＩＤ（ＲＦＩＤ）が登録されているＩＤである場合は、呼出子機ＣＰＵ１５がそれを認識（Ｓ４）し、関連づけられている呼出先の一覧が子機ディスプレイ１２に表示される（Ｓ６）。例えば、ＩＤ情報から訪問者が社長に関連付けられた特別な人物と認証された場合には、「社長室」を含む複数の呼出ボタンが子機ディスプレイ１２にタッチボタンとして表示される。
【００２０】
一方、入力されたＩＤ情報や読み取ったＩＤが登録されていない場合、或いは一般訪問者ＩＤとして登録されている場合は、一般の来訪者に対する呼出先の一覧、例えば「受付」「総務部」等の限定された特定の呼出先が子機ディスプレイ１２に表示される（Ｓ５）。この場合、「社長室」等特別な呼出先は表示されない。
このように、呼出不可とする呼出先はタッチパネル上で表示されないため、訪問者に対して呼出不可となっている呼出先は見えず、その存在を知られることがない。そして、一般の訪問者に対しては表示される呼出ボタンが限定されるため、呼出先の選択で悩むような事態を防止できる。
【００２１】
また、ＩＤを入力しなくても呼び出しは可能になっている。最初の案内画面に「ＩＤなし」の選択ボタンが表示され、このボタンを選択することで次画面に移行し、上記一般来訪者の場合と同様に設定された特定の親機３のみ呼び出しを可能とする一覧が表示される（Ｓ５）。また、通話子機１ｂの呼出ボタン２０からでもＩＤを入力せずに呼び出しでき、予め設定された特定の１台の親機３に呼び出しが掛かる。この呼び出しを受けた親機３からの応答操作及び通話動作は従来のインターホン装置と同様であるため、説明を省略する。
【００２２】
訪問者はこうして子機ディスプレイ１２に表示された呼出先一覧から、訪問先を選択してタッチ操作（呼出操作）すると（Ｓ７）、呼出子機ＣＰＵ１５は選択された親機３の情報を添付した呼出信号を通話子機１ｂに送信する（Ｓ８）。
呼出信号は通話子機１ｂのＩＰアドレスにより送信先に設定され、ＨＵＢ４を介して通話子機１ｂに送信される。
【００２３】
この呼出信号を受信（Ｓ９）した通話子機１ｂは、通話子機ＣＰＵ２２が呼出信号に添付されている親機３の情報を読み取り、この親機３のＩＰアドレスを送信先に設定して更に呼出信号を送信する。
また、通話子機ＣＰＵ２２は、スピーカ１９から呼出確認音を鳴動させるともに、マイク１８を能動として親機３へ音声信号の送信を可能とする（Ｓ１０）。更に、子機カメラ１７を起動し、子機カメラ１７の映像信号を選択された親機３のＩＰアドレスに対して送信する（Ｓ１１）。
【００２４】
通話子機１ｂから呼出信号を受信した親機３は、親機ＣＰＵ３７の制御によりスピーカ３３から呼出音が鳴動する。また、ほぼ同時に通話子機１ｂから子機カメラ１７の撮像映像が送信され、この映像が親機ディスプレイ３４に表示される（Ｓ１２）。このとき、音声信号があればスピーカ３３から音声の報音も実施される。
尚、親機３へ送信する呼出信号は、呼出子機１ａから直接送信しても良く、その場合は、通話子機１ｂへの呼出信号の送信と同時に、親機３へも呼出信号を送信すれば良い。選択された親機３のＩＰアドレスを送信先に設定することで容易に送信できる。
【００２５】
親機ＣＰＵ３７は、引き続き画像記憶部３６から所定の画像を読み出して呼出子機１ａに送信（Ｓ１３）し、この画像信号を受信した呼出子機１ａは、子機ディスプレイ１２に受信し画像を表示（Ｓ１４）する。こうして、呼出操作した子機ディスプレイ１２には、例えば「ただいま、総務部を呼び出しています」の文字情報なら成るガイダンス画像が表示される。また、例えば呼出先の親機３が他の親機３に転送される場合は、「しばらくお待ちください」等のガイダンス画像が表示される。
【００２６】
その後、呼出音と来訪者映像により来訪者を確認した呼出先の人物が、親機３の操作部３１を応答操作すると、マイク３２及びスピーカ３３が能動となり、親機ＣＰＵ３７が通話路形成信号を通話子機１ｂに送信する。同時に親機カメラ３５が撮像を開始し、その撮像映像が呼出子機１ａに送信される。
この通話路形成信号を受信した通話子機ＣＰＵ２２は、スピーカ１９を能動として親機３との通話路が形成され、通話が可能となる。また、映像信号を受信した呼出子機１ａは子機ディスプレイ１２に親機カメラ３５の撮像映像を表示する。
【００２７】
このように、インターホン子機１から呼び出しできるインターホン親機３を複数備えていても、インターホン子機１の個人認証結果によって訪問者が呼び出しできるインターホン親機３の絞り込みができるため、一般の訪問者と認識した場合は特定のインターホン親機３を呼び出しできないよう設定できるし、特別な訪問者と認識した場合は例えば社長室を直接呼び出しできるよう設定できる。よって、別途受け付けが必要無くなり、来訪者と応答する担当者の双方にとって便利であり都合がよい。
また、呼出先フロアのレイアウトの変更等で、インターホン親機３の数や呼出先名称が変更になっても、子機ディスプレイ１２の表示を変更することで容易に対応でき、インターホン子機１自体を変更する必要がないため、インターホン親機３の数の変更等に対して柔軟に対応できる。
更に、子機ディスプレイ１２とマイク１８／スピーカ１９とが別体に構成されるため、マイク１８／スピーカ１９は呼出ボタン２０を備えた従来のインターホン子機が使用可能となるし、子機ディスプレイ１２は通話機能を必要としないため、汎用のディスプレイを使用することが可能となりインターホン子機１全体を安価に構成できる。
また、親機カメラ３５によりインターホン親機３から応答する人物の映像がインターホン子機１に表示されるため、訪問者は通話し易いし安心できるし、子機ディスプレイ１２を使用して映像を表示するため別途表示手段を設ける必要がない。
また、呼出操作後にガイダンス画像がインターホン子機１に表示されるので、訪問者は呼出状況を画像で認識でき、呼出状況を把握でき安心できる。
【００２８】
尚、上記実施形態では、インターホン子機１を呼出子機１ａと通話子機１ｂと２つの機器で構成しているが、呼出子機１ａと通話子機１ｂは一体であっても良い。また、通話子機１ｂに呼出ボタン２０が設けられているが無くても良いし、人感センサ２１に関しても無くとも良い。人感センサ２１が無い場合は、待受状態の子機ディスプレイ１２に「御用の方は画面をタッチしてください」等の案内画面を表示させることで対応できる。
更に、人感センサ２１を通話子機１ｂに設けているが、呼出子機１ａに設けても良い。  また、子機１及び親機３の双方向の映像の伝送を実施しているが、映像信号については子機１から親機３へ伝送する片方向のみであっても良い。
【符号の説明】
【００２９】
１・・インターホン子機、１ａ・・呼出子機、１ｂ・・通話子機、３・・インターホン親機、１１・・操作部（呼出操作部、ＩＤ情報取得部）、１２・・子機ディスプレイ（ディスプレイ）、１３・・呼出先記憶部、１４・・ＲＦＩＤ読み取り部（ＩＤ情報取得部）、１５・・呼出子機ＣＰＵ（呼出制御部、表示制御部）、１８・・マイク、１９・・スピーカ、２１・・人感センサ、２２・・通話機ＣＰＵ、３１・・操作部、３２・・マイク、３３・・スピーカ、３４・・親機ディスプレイ、３５・・親機カメラ、３６・・画像記憶部、３７・・親機ＣＰＵ（ガイダンス制御部、映像制御部）。
【図１】
0005812752.tif 000002
【図２】
0005812752.tif 000003
【図３】
0005812752.tif 000004